(57)【要約】      （修正有）【課題】ブラシ支持部を位置決め部内に緊密に噛合させて脱離しにくくした角度を有するブラシ固定構造を提供する。【解決手段】ブラシ支持部２２が湾曲されて角度をつけるか弧状になり、ブラシ支持部２２が位置決め部２３内に係着して固定されて外れにくくなり、歯間ブラシの使用上の安全性を有効的に高める。ブラシ２１と、ブラシ支持部２２と、位置決め部２３と、把持部２４とで主に構成される。ブラシ支持部２２の前端の位置にはブラシ２１が設置され、位置決め部２３の長さは一般的な歯間ブラシよりも短い。ブラシ支持部２２が位置決め部２３内に緊密に設置され、ブラシ２１の後方のブラシ支持部２２の適切な箇所には湾曲する係着段が設けられ、ブラシ支持部２２を位置決め部２３に堅固に噛合させる。【選択図】図６
0003199778.tif 000002
【実用新案登録請求の範囲】
【請求項１】
ブラシと、ブラシ支持部と、位置決め部と、把持部とで主に構成され、使用者が把持するのに用いられる前記把持部は棒状であり、把持部の上端の位置にはその側辺から位置決め部が突出してブラシ支持部を設置させるのに使用され、把持部との間には角度がつけられ、ブラシ支持部は線材が交錯して線状に構成され、前端にはブラシが配設される角度を有するブラシ固定構造であって、前記ブラシの後方のブラシ支持部の適切な箇所が湾曲されて角度をつけるか弧状になり、係着段が形成され、位置決め部内にブラシ支持部が装着され、係着段が噛合することでブラシ支持部が位置決め部内に安定的に設置されることを特徴とする角度を有するブラシ固定構造。
【請求項２】
前記係着段は一段以上であることを特徴とする、請求項１に記載の角度を有するブラシ固定構造。
【考案の詳細な説明】
【技術分野】
【０００１】
本考案は、角度を有するブラシ固定構造に関し、即ち、位置決め部内のブラシ支持部に湾曲するか弧形になる係着段が設置され、ブラシ支持部を位置決め部内に緊密に噛合させて脱離しにくくし、使用上安全にする。
【背景技術】
【０００２】
従来の歯間ブラシは、図１及び図２に示すように、ブラシ１１と、ブラシ支持部１２と、位置決め部１３と、把持部１４とで主に構成され、前記把持部１４の上端の側辺からは位置決め部１３が延伸され、前記位置決め部１３の上方にはブラシ支持部１２が穿設され、交叉して巻回することでブラシ１１をブラシ支持部１２に固定させている。
【０００３】
図４に示すように、使用時には、使用者が把持部１４を手に持ち、ブラシ１１を歯間に挿入させ、ブラシ１１を反復して押し引きすることで歯間内に残る食物の残骸を掻き出す。前記ブラシ支持部１２は真っ直ぐに位置決め部１３内に穿設されて固定される(図３参照)。また、位置決め部１３が横向きに設置される際の長さは一般的な歯間ブラシよりずっと短く、ブラシ支持部１２は位置決め部１３内に短めに設置されるのみであり、それゆえに堅固性が不足した。一旦ブラシ１１が歯間１５内に当着され(図４参照)、使用者が外に向けて引く力が強過ぎる場合、ブラシ支持部１２が位置決め部１３内からすぐに脱離してしまい、ブラシ支持部１２が歯間に挟まったままになり抜けなくなることもある。また、もしブラシ支持部１２が断裂し、これに使用者が気付かない場合、ブラシ支持部１２の一部が口内に脱落したり、或いは喉に詰まる危険性もある。
【０００４】
本考案者は各種の歯間ブラシ、綿棒、糸ようじ等の開発、製造に専門家として従事し、従来の歯間ブラシのブラシ支持部の固定上の欠点を熟知している。そこで、本考案者は上記の欠点が改善可能と考え、鋭意検討を重ねた結果、合理的設計で上記の課題を効果的に改善する本考案の提案に到った。
【考案の概要】
【考案が解決しようとする課題】
【０００５】
本考案は、このような従来の問題に鑑みてなされたものである。上記課題解決のため、本考案は、角度を有するブラシ固定構造を提供することを主目的とする。
【課題を解決するための手段】
【０００６】
なお、上述した課題を解決し、目的を達成するために、本考案に係る角度を有するブラシ固定構造は、主にブラシ支持部が湾曲して角度をつけるか弧状になり、ブラシ支持部が位置決め部内に係着して固定されて脱離しにくくなり、歯間ブラシの使用上の安全性を有効的に高める。ブラシと、ブラシ支持部と、位置決め部と、把持部とで主に構成される。前記把持部は棒状であり、使用者に把持させるのに用いられ、把持部の上端の位置にはその側辺から位置決め部が突出してブラシ支持部を設置させるために使用され、把持部との間には歯間の掃除をしやすくするように角度がつけられる。ブラシ支持部は線材が交錯して線状に構成され、前端にはブラシが配設され、ブラシの後方のブラシ支持部の適切な箇所が湾曲して角度がつけられるか弧状になり、係着段が形成される。プラスチック射出成型により位置決め部内にブラシ支持部が装着され、これによりブラシ支持部が位置決め部内に堅固に設置されて、外力を受けて押し引きされても断裂や脱離しにくくなる。さらには、堅固性をより高めるために、ブラシ支持部の後段に一段以上の係着段が設置される。
【考案の効果】
【０００７】
本考案によれば、前記位置決め部と把持部との間に角度を有するため、使用者が把持部を傾斜させてブラシを歯間に入るように調整する必要がなく、簡単に歯間の掃除が行える。使用時には、ブラシを反復して歯間に出し入れし、ブラシが歯間に残る食物の残骸を掻き出し、歯間を掃除して細菌が繁殖するのを防ぐ。掃除中には、人により、また歯毎にも歯間の大きさが違うため、ブラシと歯間には些細な抵抗があり、使用者は少しだけ力を入れてブラシを歯間から引き出す。本考案の位置決め部の長さは一般的な角度のない歯間ブラシの位置決め部よりも短いため、嵌着力が劣る。このため、本考案ではブラシの後方のブラシ支持部が湾曲して角度がつけられるか弧状になり、係着段が形成されることで、ブラシ支持部と位置決め部との嵌着力を強化し、ブラシ支持部を位置決め部に緊密に噛合させる。入れる力が強過ぎてもブラシ支持部が位置決め部から脱離せず、ブラシの使用上の安全性を有効的に高め、ブラシの耐用年数を延ばし、その効果も非常に理想的になる。
【図面の簡単な説明】
【０００８】
【図１】従来のブラシを示す外観斜視図である。
【図２】従来のブラシを示す断面図である。
【図３】従来のブラシを示す一部の断面拡大図である。
【図４】従来のブラシの使用の概念図である。
【図５】本考案の一実施形態に係る角度を有するブラシ固定構造を示す外観斜視図である。
【図６】本考案の断面図である。
【図７】本考案のブラシを示す断面図である。
【図８】本考案のブラシを示す一部の断面拡大図である。
【図９】本考案のブラシの使用の概念図である。
【考案を実施するための形態】
【０００９】
本考案における好適な実施の形態について、添付図面を参照して説明する。尚、以下に説明する実施の形態は、実用新案登録請求の範囲に記載された本考案の内容を限定するものではない。また、以下に説明される構成の全てが、本考案の必須要件であるとは限らない。
【００１０】
以下、本考案の実施形態について、図面を参照しながら説明する。図５は本考案の一実施形態に係る角度を有するブラシ固定構造を示す外観斜視図であり、ブラシ２１と、ブラシ支持部２２と、位置決め部２３と、把持部２４とで主に構成される。前記把持部２４は棒状であり、使用者に把持されるために用いられ、把持部２４の上端の位置にはその側辺から位置決め部２３が突出してブラシ支持部２２を設置させるために使用され、把持部２４との間には歯間の掃除をしやすくするために角度がつけられる。ブラシ支持部２２は線材が交錯することで線状に構成される。図６及び図７によれば、前端の位置にはブラシ２１が配設され、ブラシ２１の後方のブラシ支持部２２の適切な箇所が湾曲して角度がつけられるか弧状になり、係着段２２１が形成される。前記係着段２２１は半弧状であり(図８参照)、同様に噛合効果を有する。次に、プラスチック射出成型により位置決め部内にブラシ支持部２２が装着され、これによりブラシ支持部２２が位置決め部２３内に堅固に設置され、外力を受けて引かれても断裂したり脱離しない。また、堅固性をより高めるため、ブラシ支持部２２の後段には一段以上の係着段２２１が設置される。
【００１１】
使用時には、図９に示すように、前記位置決め部２３と把持部２４との間に角度を有するため、使用者が把持部２４を傾斜させてブラシを歯間３０に合わせる必要がなくなり、歯間３０の掃除を簡単に行える。使用しやすくするために、ブラシ２１には各種のサイズが用意され、使用者が個人の好みに合わせて使用できる。人毎に歯間３０の隙間は違い、それぞれ大きさが違うため、ブラシ２１にも細い毛や太い毛等の差異がある。掃除中には、使用者がブラシ２１を歯間３０に入れて反復して押し引きし、ブラシ２１により歯間に残る食物の残骸を掻き出し、歯間３０を掃除して細菌が繁殖するのを防ぐ。但し、前記ブラシ２１が歯間３０との間に僅かに抵抗を発生させることがあり、この場合は少し力を入れてブラシ支持部２２を引き出すが、力が強過ぎてもブラシ支持部２２が脱離しない。さらには、横向きに設置される位置決め部２３の長さが短いため、従来の真っ直ぐなブラシ支持部１２(図示せず)は脱離しやすい。このため、本考案者はブラシ支持部２２の堅固性を強化するため、特にブラシ支持部２２の後段が湾曲されて角度がつけられるか弧状になり、係着段２２１が形成されることで、ブラシ支持部２２の位置決め部２３への嵌着力が増し、ブラシ支持部２２が位置決め部２３に緊密に噛合される。入れる力が強過ぎてもブラシ支持部２２が位置決め部２３から脱離せず、ブラシ２１の使用上の安全性を有効的に高め、ブラシ２１の耐用年数を延ばして、使用の効果も非常に理想的になる。
【００１２】
以上のとおり、本考案はブラシ支持部の後端に一段以上の係着段が設置され、ブラシ支持部を位置決め部に緊密に噛合させることで、使用上力を入れ過ぎてもブラシ支持部が脱離せず、ブラシ使用上の安全性が高まり、ブラシの耐用年数も延びる。
【００１３】
従って、本明細書に開示された実施例は、本考案を限定するものではなく、説明するためのものであり、このような実施例によって本考案の思想と範囲が限定されるものではない。本考案の範囲は特許請求の範囲により解釈すべきであり、それと同等の範囲内にある全ての技術は、本考案の権利範囲に含まれるものと解釈すべきである。
【符号の説明】
【００１４】
（従来の技術）
１１  ブラシ
１２  ブラシ支持部
１３  位置決め部
１４  把持部
１５  歯間
（本考案）
２１  ブラシ（ブラシ）
２２  ブラシ支持部
２２１  係着段
２３  位置決め部
２４  把持部
３０  歯間
【図１】
0003199778.tif 000003
【図２】
0003199778.tif 000004
【図３】
0003199778.tif 000005
【図４】
0003199778.tif 000006
【図５】
0003199778.tif 000007
【図６】
0003199778.tif 000008
【図７】
0003199778.tif 000009
【図８】
0003199778.tif 000010
【図９】
0003199778.tif 000011